(57)【要約】【課題】外観の良いニット製の衣服１の提供。【解決手段】着用者の身体を通す開口Ｈが形成された本体部２と、ニット製のゴムであり且つ前記開口Ｈ周りの開口縁部２２よりも周長が短い帯環状の環状締付部３であって、前記開口縁部２２に縫合された環状締付部３と、を備え、前記環状締付部３は、帯幅方向における一方の端部が前記本体部２の内側に向けて配置される内向端部３０となり、他方の端部が前記本体部２の外側に向けて配置される外向端部３１となるように構成され、該環状締付部３には、前記内向端部３０を前記開口縁部２２に縫合する内側縫い目３２ａと、前記帯幅方向において該内側縫い目３２ａよりも前記外向端部３１側に位置する外側縫い目３２ｂとが形成されている。【選択図】図５
2020190052.tif 000002
【特許請求の範囲】
【請求項１】
着用者の身体を通す開口が形成された本体部と、
ニット製のゴムであり且つ前記開口周りの開口縁部よりも周長が短い帯環状の環状締付部であって、前記開口縁部に縫合された環状締付部と、を備え、
前記環状締付部は、帯幅方向における一方の端部が前記本体部の内側に向けて配置される内向端部となり、他方の端部が前記本体部の外側に向けて配置される外向端部となるように構成され、
該環状締付部には、前記内向端部を前記開口縁部に縫合する内側縫い目と、前記帯幅方向において該内側縫い目よりも前記外向端部側に位置する外側縫い目とが形成されている、
ニット製の衣服。
【請求項２】
前記開口縁部は、円周端が前記環状締付部における前記内向端部よりも前記外向端部側にずれた場所に位置するようにして前記環状締付部に重ねて配置され、
前記環状締付部は、前記内側縫い目と前記外側縫い目とで該開口縁部に縫合されている、
請求項１に記載のニット製の衣服。
【請求項３】
前記開口縁部は、前記円周端及び前記外側縫い目が前記環状締付部の前記帯幅方向における中央部よりも前記外向端部側にずれた場所に位置する、
請求項２に記載のニット製の衣服。
【発明の詳細な説明】
【技術分野】
【０００１】
本発明は、ニット製の衣服に関する。
【背景技術】
【０００２】
上記のニット製の衣服として、例えば特許文献１に開示されているような男性用のニットトランクスが提供されている。
【０００３】
かかるニットトランクスは、着用者の腰回りを取り囲む腰部が形成されるようにして前身頃生地と後身頃生地とを縫い合わせた本体部と、帯環状であり且つ伸縮性を有するベルト体であって、帯幅方向における一端部が全周に亘って前記腰部に縫合されるベルト体とを備えており、着用状態においてはベルト体が着用者の身体を締め付けることによって着用位置がずれないようになっている。
【先行技術文献】
【特許文献】
【０００４】
【特許文献１】実用新案登録第３０７２０２９号公報
【発明の概要】
【発明が解決しようとする課題】
【０００５】
ところで、上記従来のニットトランクスでは、ベルト体がニット製のゴムで構成されることがあり、この場合、縫合前の周長を腰部の周長よりも短く設定することによって、ベルト体が着用位置のずれを防止できる程度の締付力を発揮できるようにしている。
【０００６】
かかるベルト体は、腰部の周長と合うように伸長させた状態で前記一端部が腰部に縫合された後、伸長させた状態を解除するに伴い収縮するようになっている。しかしながら、この収縮に伴って本体部（例えば、腰部や、腰部付近の生地）が波打ってしまい、ニットトランクスの外観が悪くなることがある。
【０００７】
また、ベルト体は、前記幅方向における両端部のうちの前記一端部のみが腰部に縫合されているため、前記一端部側に対して他端部側（ベルト体の前記幅方向における他端部側）が大きく収縮する。そのため、ベルト体の外形が前記一端部側と前記他端部側とで不揃いとなることによってもニットトランクスの外観が悪くなることがある。
【０００８】
このように、上記従来のニットトランクスは、波打ちや型崩れが生じることにより外観の良さが損なわれることが問題となっている。なお、ニットトランクス以外のニット製の衣服においても同様の問題が起こり得る。
【０００９】
そこで、本発明は、かかる実情に鑑み、外観の良いニット製の衣服を提供することを課題とする。
【課題を解決するための手段】
【００１０】
本発明のニット製の衣服は、
着用者の身体を通す開口が形成された本体部と、
ニット製のゴムであり且つ前記開口周りの開口縁部よりも周長が短い帯環状の環状締付部であって、前記開口縁部に縫合された環状締付部と、を備え、
前記環状締付部は、帯幅方向における一方の端部が前記本体部の内側に向けて配置される内向端部となり、他方の端部が前記本体部の外側に向けて配置される外向端部となるように構成され、
該環状締付部には、前記内向端部を前記開口縁部に縫合する内側縫い目と、前記帯幅方向において該内側縫い目よりも前記外向端部側に位置する外側縫い目とが形成されている。
【００１１】
上記構成のニット製の衣服の環状締付部は周長が開口縁部よりも短いため、環状締付部は、周長が開口縁部の周長と合うように伸長した状態（伸長状態）で開口縁部に縫合され、開口縁部への縫合後に前記伸長状態が解除されると収縮する。
【００１２】
環状締付部には、内向端部と開口縁部とを縫合する内側縫い目に加えて、内側縫い目から外向端部側にずれた位置には内側縫い目とは別の縫い目である外側縫い目が形成されているため、内向端部側の収縮が内側縫い目によって抑制され、外向端部側の収縮が外側縫い目によって抑制される。
【００１３】
従って、環状締付部の内向端部側と外向端部側の収縮が何れも抑制されるため、帯幅方向における一端部側（内向端部側）の周長と他端部側（外向端部側）の周長とが不揃いとなること、すなわち、ニット製の衣服の型崩れが抑制される。
【００１４】
また、内側縫い目と外側縫い目とによって環状締付部全体の収縮が抑制されやすくなるため、環状締付部の収縮に伴う本体部（開口縁部）の波打ちも抑制される。
【００１５】
また、本発明のニット製の衣服において、
前記開口縁部は、円周端が前記環状締付部における前記内向端部よりも前記外向端部側にずれた場所に位置するようにして前記環状締付部に重ねて配置され、
前記環状締付部は、前記内側縫い目と前記外側縫い目とで該開口縁部に縫合されていてもよい。
【００１６】
このようにすれば、環状締付部が内側縫い目と外側縫い目とで開口縁部に縫合されるため、環状締付部の内向端部側の収縮と外向端部側の収縮とが抑制されやすくなる。
【００１７】
さらに、本発明のニット製の衣服において、
前記開口縁部は、前記円周端及び前記外側縫い目が前記環状締付部の前記帯幅方向における中央部よりも前記外向端部側にずれた場所に位置するようにしてもよい。
【００１８】
このようにすれば、環状締付部の内向端部側と外向端部側とが開口縁部に縫合されるため、環状締付部全体の収縮が抑制されやすくなる。
【発明の効果】
【００１９】
以上のように、本発明のニット製の衣服によれば、型崩れや波打ちの発生を抑制することによって、外観を良くすることができるという優れた効果を奏し得る。
【図面の簡単な説明】
【００２０】
【図１】図１は、本発明の一実施形態に係るニット製の衣服の正面図である。
【図２】図２は、同実施形態に係るニット製の衣服の背面図である。
【図３】図３は、同実施形態に係るニット製の衣服の分解図である。
【図４】図４は、図２のＩＶ−ＩＶ線での断面図である。
【図５】図５は、同実施形態に係るニット製の衣服の製造方法の説明図であって、（ａ）は環状締付部を伸長させている状態の説明図であり、（ｂ）は本体部に縫合した環状締付部が収縮している状態の説明図である。
【図６】図６は、本発明の別の実施形態に係るニット製の衣服の説明図である。
【図７】図７において、（ａ）は本発明のさらに別の実施形態に係るニット製の衣服の説明図であり、（ｂ）は本発明のさらなる別の実施形態に係るニット製の衣服の説明図である。
【図８】図８は、本発明のさらなる別の実施形態に係るニット製の衣服の説明図である。
【発明を実施するための形態】
【００２１】
以下、本発明の一実施形態に係るニット製の衣服について添付図面を参照しつつ説明を行う。
【００２２】
なお、本実施形態では、ニット製の衣服が下半身に着用する男性用の肌着（より具体的にはニット製のトランクス）であることを前提として以下の説明を行うこととする。
【００２３】
本実施形態に係るニット製の衣服は、図１に示すように、着用者の身体を通す開口が形成された本体部２と、ニット製のゴムを帯環状にした環状締付部３であって、本体部２の開口まわりの開口縁部に縫合される環状締付部３とを備えている。
【００２４】
本体部２は、着用状態において、着用者の正面側に配置される正面部２０と、着用者の背面側に配置される背面部２１（図２参照）とを有する。正面部２０は、いわゆる前身頃であり、背面部２１は、いわゆる後身頃である。
【００２５】
本体部２には、図５（ａ）に示すように、前記開口Ｈが複数（本実施形態では３つ）形成されており、この３つの開口Ｈには着用者が腰を通す一つの開口Ｈ（以下、腰側開口ＨＷと称する）と、着用者が脚を通す２つの開口Ｈ（以下、脚側開口ＨＬと称する）とが含まれている。そして、本実施形態では、一つの腰側開口ＨＷと２つの脚側開口ＨＬのうち、一つの腰側開口ＨＷまわりの開口縁部２２のみに環状締付部３が縫合されている。
【００２６】
環状締付部３は、図３に示すように、帯幅方向における一方の端部が本体部２の内側に向けて配置される内向端部３０となり、他方の端部が本体部２の外側に向けて配置される外向端部３１となるように構成されている。すなわち、環状締付部３では、外向端部３１が内向端部３０よりも前方（本体部２の開口Ｈを通じて本体部２内から本体部２外に向かう方向における前方）に位置している。
【００２７】
また、環状締付部３（環状締付部３の外周面）は、帯幅方向における全体若しくは略全体が開口縁部２２（開口縁部２２の内周面）に重なるようにして配置されている。そのため、開口縁部２２の円周端（先端）２２０は、環状締付部３の内向端部３０よりも外向端部３１側にずれた場所、より具体的には、環状締付部３の外向端部３１に重ねて配置されている。
【００２８】
図４に示すように、環状締付部３には、内向端部３０を開口縁部２２に縫合する内側縫い目３２ａと、帯幅方向において内側縫い目３２ａよりも外向端部３１側に位置する外側縫い目３２ｂとが形成されている。
【００２９】
内側縫い目３２ａと外側縫い目３２ｂとは、環状締付部３の周方向全周に亘って連続するように形成されている。
【００３０】
内側縫い目３２ａは、上述のように内向端部３０を開口縁部２２に縫合している縫い目であり、また、外側縫い目３２ｂは、外向端部３１を開口縁部２２に縫合している縫い目である。そのため、本実施形態の環状締付部３は、帯幅方向における両端側（内向端部３０側と外向端部３１側）が全周に亘って開口縁部２２に縫合されている。
【００３１】
ここで、環状締付部３は、着用者の身体に対する着用位置のずれを防止するための構成であり、内部に通した身体の部位に締付力を付与できるように構成されている。
【００３２】
より具体的に説明すると、環状締付部３は、伸長させていない状態での周長が開口縁部２２の周長よりも短くなるように構成されている（図３参照）。また、環状締付部３は筒状に編まれた丸編地であり、継ぎ目がないように構成されている。
【００３３】
また、環状締付部３を開口縁部２２に縫合する場合は、図５（ａ）に示すように、環状締付部３を該環状締付部３自身の周長が開口縁部２２の周長と合うように伸長させた伸長状態のまま、内側縫い目３２ａと外側縫い目３２ｂとを形成して環状締付部３を開口縁部２２に縫合している。
【００３４】
そして、開口縁部２２に縫合された環状締付部３は、内側縫い目３２ａと外側縫い目３２ｂとによって、縫合前の周長となる前に収縮が止まるようになっている。そのため、開口縁部２２に縫合された環状締付部３は、開口縁部２２への縫合前の状態に比べて引き伸ばされた状態となっている。
【００３５】
本実施形態に係るニット製の衣服１の構成は、以上の通りである。続いて、ニット製の衣服１の製造方法の説明を行う。
【００３６】
ニット製の衣服１の製造方法には、本体部２と環状締付部３とを縫合する縫合工程が含まれている。そして、この縫合工程では、環状締付部３を伸長状態にしたまま、環状締付部３の内向端部３０を開口縁部２２に縫合して内側縫い目３２ａを形成するとともに、外向き端部に外側縫い目３２ｂを形成している。
【００３７】
また、縫合工程においては、環状締付部３の内向端部３０よりも外側端部側にずれた場所、より具体的には、環状締付部３の帯幅方向における中央部よりも外向端部３１側にずれた場所に開口縁部２２の円周端２２０が位置するようにして環状締付部３を位置決めした後、環状締付部３を内側縫い目３２ａと前記外側縫い目３２ｂとで開口縁部２２に縫合している。なお、本実施形態では、外側縫い目３２ｂを環状締付部３の前記中央部よりも外向端部３１側にずれた場所に形成している。
【００３８】
以上のように、本実施形態に係るニット製の衣服１では、環状締付部３によって着用者の身体に締付力を付与できるように構成する必要があることから、環状締付部３の周長（縫合前の周長）が開口縁部２２の周長よりも短く設定されており、この環状締付部３を開口縁部２２の周長と合うように伸長させた伸長状態（図５（ａ）参照）で開口縁部２２に縫合している。
【００３９】
環状締付部３は、開口縁部２２に縫合された後に前記伸長状態が解除されると収縮する（図５（ｂ）参照）が、内向端部３０と開口縁部２２とを縫合する内側縫い目３２ａに加えて、内側縫い目３２ａとは別の縫い目である外側縫い目３２ｂが内側縫い目３２ａから外向端部３１側にずれた位置に形成されているため、内向端部３０側の収縮が内側縫い目３２ａによって抑制され、外向端部３１側の収縮が外側縫い目３２ｂによって抑制される。
【００４０】
従って、環状締付部３の内向端部３０側と外向端部３１側の収縮が何れも抑制されるため、帯幅方向における一端部側（内向端部３０側）の周長と他端部側（外向端部３１側）の周長とが不揃いとなること、すなわち、ニット製の衣服１の型崩れが抑制される。
【００４１】
また、内側縫い目３２ａと外側縫い目３２ｂとによって環状締付部３全体の収縮が抑制されやすくなるため、環状締付部３の収縮に伴う本体部２（開口縁部２２）の波打ちも抑制される。
【００４２】
このように、本実施形態に係るニット製の衣服１によれば、型崩れや波打ちの発生を抑制することによって、外観を良くすることができるという優れた効果を奏し得る。
【００４３】
また、本実施形態のニット製の衣服１では、環状締付部３の内向端部３０側と外向端部３１側とが、それぞれ内側縫い目３２ａと外側縫い目３２ｂとで開口縁部２２に縫合されているため、環状締付部３の内向端部３０側の収縮と外向端部３１側の収縮とが抑制されやすくなる。
【００４４】
特に、本実施形態の環状締付部３は、帯幅方向における中央部よりも前記外向端部３１側にずれた場所に形成されている外側縫い目３２ｂによって開口縁部２２に縫合されているため、環状締付部３全体の収縮が抑制されやすくなる。
【００４５】
さらに、ニット製の衣服１の環状締付部３は、開口縁部２２への縫合後においては、縫合前の周長となる前に収縮が止まるようになっている。そのため、ニット製の衣服１を着用していない状態においても、環状締付部３に伸びが生じた状態にすることができ、これにより、着用者に過剰な締め付け感を与えてしまうことも抑制できる。
【００４６】
なお、本実施形態に係るニット製の衣服は、上記実施形態に限定されるものではなく、本発明の要旨を逸脱しない範囲内において種々の変更を加え得ることは勿論である。
【００４７】
上記実施形態のニット製の衣服１は男性用であったが、この構成に限定されない。ニット製の衣服１は、例えば、女性用であってもよい。
【００４８】
上記実施形態のニット製の衣服１は肌着であったが、この構成に限定されない。ニット製の衣服１は、例えば、ズボン等であってもよい。この場合、環状締付部３は、ウエストや、裾等に設けられる。
【００４９】
上記実施形態のニット製の衣服１は下半身に着用するものであったが、この構成に限定されない。ニット製の衣服１は、例えば、トレーナー等の上半身に着用するものであってもよい。この場合、環状締付部３は、袖口に等に設けられる。
【００５０】
上記実施形態において特に言及しなかったが、正面部２０と背面部２１とが一つながりの生地から作られたものであってもよいし、別々の生地から作られたものであってもよい。
【００５１】
上記実施形態では、本体部２の３つの開口Ｈのうち、腰側開口ＨＷのみに環状締付部３が縫合されていたが、この構成に限定されない。例えば、本体部２の脚側開口ＨＬに環状締付部３が縫合されていてもよい。
【００５２】
上記実施形態では、外向端部３１に形成された縫い目を外側縫い目３２ｂとしていたが、この構成に限定されない。内側縫い目３２ａよりも外向端部３１側（外側）に形成された縫い目であれば、例えば、図６に示すように、環状締付部３の帯幅方向における内向端部３０と外向端部３１の間に形成された縫い目を外側縫い目３２ｂとしてもよい。
【００５３】
上記実施形態では、環状締付部３の外側端部が開口縁部２２の円周端２２０の近傍に位置していたが、この構成に限定されない。環状締付部３の外側端部は、開口縁部２２の円周端２２０から前方に進出した場所に位置していてもよい。この場合、外側縫い目３２ｂには、図７（ａ）に示すように、環状締付部３の前記中央部よりも外向端部３１側に形成された縫い目だけが含まれていてもよいし、図７（ｂ）に示すように、内側縫い目３２ａよりも外向端部３１側であり且つ環状締付部３の前記中央部よりも内向端部３０側に形成された縫い目が含まれるようにしてもよい。
【００５４】
上記実施形態において、特に言及しなかったが、環状締付部３は、図８に示すように、外向端部３１が円周端２２０よりも内側に位置するように配置されていてもよい。なお、図８に示す環状締付部３には、外側縫い目３２ｂとしての縫い目を外側端部のみに形成しているが、内側縫い目３２ａよりも外向端部３１側であり且つ環状締付部３の前記中央部よりも内向端部３０側に外側縫い目３２ｂとしての縫い目を形成してもよい。
【符号の説明】
【００５５】
１…衣服、２…本体部、３…環状締付部、２０…正面部、２１…背面部、２２…開口縁部、３０…内向端部、３１…外向端部、３２ａ…内側縫い目、３２ｂ…外側縫い目、２２０…円周端、Ｈ…開口、ＨＬ…脚側開口、ＨＷ…腰側開口
【図１】
2020190052.tif 000003
【図２】
2020190052.tif 000004
【図３】
2020190052.tif 000005
【図４】
2020190052.tif 000006
【図５】
2020190052.tif 000007
【図６】
2020190052.tif 000008
【図７】
2020190052.tif 000009
【図８】
2020190052.tif 000010